(57)【要約】【課題】光学式のタッチセンサの検査を簡易に行うことの可能なセンサ画素検査用のバス幅変換回路、ならびにそれを備えた情報入出力装置および電子機器を提供する。【解決手段】バス幅変換回路１１ｃは、複数の受光セルＣＲを有する入力パネル１１に設けられており、受光セルＣＲの受光信号を出力するＮ本のセンサ信号線ＳＳｉｇＸと、Ｍ本（２＜Ｍ＜Ｎ）の検査用出力線ＳｏｕｔＸとの間に接続されている。バス幅変換回路１１ｃは、Ｎ本のセンサ信号線ＳＳｉｇＸから入力されるパラレル信号を、Ｍ本またはＭ本よりも少ない数のパラレル信号として、複数の検査用出力線ＳｏｕｔＸに出力する。【選択図】図３
2012039372.tif 000002
【特許請求の範囲】
【請求項１】
複数の受光要素を有する入力パネルに設けられたバス幅変換回路であって、
前記受光要素の受光信号を出力するＮ本のセンサ信号線と、Ｍ本（２＜Ｍ＜Ｎ）の検査用出力線との間に接続され、前記Ｎ本のセンサ信号線から入力されるパラレル信号を、Ｍ本またはＭ本よりも少ない数のパラレル信号として、前記複数の検査用出力線に出力する
バス幅変換回路。
【請求項２】
シフトレジスタおよび第１スイッチを交互に配置して構成され、
前記第１スイッチは、入出力の端子をそれぞれＭ個ずつ有し、
前記第１スイッチの入力端は、前記複数のセンサ信号線のうちＭ本のセンサ信号線に接続され、前記第１スイッチの出力端は、前記複数の検査用出力線に接続されている
請求項１に記載のバス幅変換回路。
【請求項３】
前段に設けられたカウンタ・デコーダと、前記カウンタ・デコーダの出力端に並列に接続された複数の第１スイッチＳＷとを備え、
前記第１スイッチは、入出力の端子をそれぞれＭ個ずつ有し、
前記第１スイッチの入力端は、前記複数のセンサ信号線のうちＭ本のセンサ信号線に接続され、前記第１スイッチの出力端は、前記複数の検査用出力線に接続されている
請求項１に記載のバス幅変換回路。
【請求項４】
２入力１出力のＬ個（Ｌ＜Ｍ）のスイッチ素子が配列された１つの第２スイッチと、
２入力１出力のＭ−Ｌ個のスイッチ素子が配列されたＮ／Ｍ個（小数点以下切り捨て）の第３スイッチと
を備え、
前記第２スイッチの２種類の入力端のうち一方は、前記第１スイッチのＭ個の出力端のうち前記第３スイッチに未接続の出力端に接続され、前記第２スイッチの２種類の入力端のうち他方は、Ｌ本のテスト用出力線に接続され、
前記第３スイッチの２種類の入力端のうち一方は、前記第１スイッチのＭ個の出力端のうち前記第２スイッチに未接続の出力端に接続され、前記第３スイッチの２種類の入力端のうち他方は、前記第２スイッチに接続された出力端に接続されている
請求項２または請求項３に記載のバス幅変換回路。
【請求項５】
入出力パネルを備えた情報入出力装置であって、
前記入出力パネルは、
映像信号に基づいて表示面に画像を表示する複数の表示要素と、
光を受光して電気信号として出力する受光要素と、
前記受光要素の受光信号を出力するＮ本のセンサ信号線と、Ｍ本（２＜Ｍ＜Ｎ）の検査用出力線との間に接続され、前記Ｎ本のセンサ信号線から入力されるパラレル信号を、Ｍ本またはＭ本よりも少ない数のパラレル信号として、前記複数の検査用出力線に出力するバス幅変換回路と
を備えた情報入出力装置。
【請求項６】
情報入出力装置を備えた電子機器であって、
前記情報入出力装置は、入出力パネルを有し、
前記入出力パネルは、
映像信号に基づいて表示面に画像を表示する複数の表示要素と、
光を受光して電気信号として出力する受光要素と、
前記受光要素の受光信号を出力するＮ本のセンサ信号線と、Ｍ本（２＜Ｍ＜Ｎ）の検査用出力線との間に接続され、前記Ｎ本のセンサ信号線から入力されるパラレル信号を、Ｍ本またはＭ本よりも少ない数のパラレル信号として、前記複数の検査用出力線に出力するバス幅変換回路と
を有する電子機器。
【発明の詳細な説明】
【技術分野】
【０００１】
本発明は、検出面に対応して複数のセンサ画素が２次元配置された検出パネルに実装されるセンサ画素検査用のバス幅変換回路、ならびにそれを備えた情報入出力装置および電子機器に関する。
【背景技術】
【０００２】
従来から、指やペンなどの物体（以下「指など」という）で触れることにより情報を入力する技術が知られている。その中でも特に注目されている技術として、ディスプレイに表示された種々のボタンを指などで触れることにより、通常のボタンを指などで押した場合と同様の情報入力を可能とする表示装置がある。この技術は、ディスプレイとボタンの共用化を可能にすることから、省スペース化や部品点数の削減という大きなメリットをもたらす。
【０００３】
指などの接触を検出するタッチセンサには、種々のタイプのものが存在する。一般に普及しているものとして、例えば、光学式のものが挙げられる（特許文献１参照）。この光学型タッチパネルでは、例えば、バックライトからの光を液晶素子で変調して画像を表示面に表示すると共に、表示面から出射されて指等の近接物体によって反射された光を、表示面に配列された受光素子によって受光し、近接物体の位置等を検出するものである。このような画像表示装置について記載したものには、特許文献１が挙げられる。
【先行技術文献】
【特許文献】
【０００４】
【特許文献１】特開２００８−１４６１６５号公報
【発明の概要】
【発明が解決しようとする課題】
【０００５】
ところで、上述の光学式のタッチセンサにおいて、例えば、垂直方向にＫ個、水平方向にＮ個、つまり合計Ｋ×Ｎ個の受光素子が表示面に配列されている場合には、例えば、Ｎ本のセンサ信号線と、Ｋ本の走査線が必要となる。このようなタッチセンサが内蔵された表示装置を製造する過程において、上記のセンサ信号線の断線もしくは短絡、受光素子の欠陥、または、受光素子ごとに設けられたスイッチング素子の欠陥（以下、これらを総称して単に「欠陥」と称する。）の発生を完全に排除することは極めて難しい。そのため、ある程度の確率で欠陥が発生してしまう。
【０００６】
そのため、製造された表示装置について上記欠陥の有無を検査することが必要となる。従来から、そのような検査として、例えば、全てのセンサ信号線をパネルの外部にまで引き出し、各センサ信号線の出力を検知することが考えられる。しかし、センサ信号線の本数は、例えば、１０００本近くあるので、検査用に全てのセンサ信号線をパネルの外部にまで引き出すことは困難であるという問題があった。
【０００７】
本発明はかかる問題点に鑑みてなされたものであり、その目的は、光学式のタッチセンサの検査を簡易に行うことの可能なセンサ画素検査用のバス幅変換回路、ならびにそれを備えた情報入出力装置および電子機器を提供することにある。
【課題を解決するための手段】
【０００８】
本発明のバス幅変換回路は、複数の受光要素を有する入力パネルに設けられており、受光要素の受光信号を出力するＮ本のセンサ信号線と、Ｍ本（２＜Ｍ＜Ｎ）の検査用出力線との間に接続されている。本発明のバス幅変換回路は、Ｎ本のセンサ信号線から入力されるパラレル信号を、Ｍ本またはＭ本よりも少ない数のパラレル信号として、複数の検査用出力線に出力するようになっている。
【０００９】
本発明の情報入出力装置は、入出力パネルを備えた情報入出力装置である。本発明の電子機器は、上記の情報入出力装置を備えたものである。ここで、入出力パネルは、映像信号に基づいて表示面に画像を表示する複数の表示要素と、光を受光して電気信号として出力する受光要素とを備えている。入出力パネルは、さらに、受光要素の受光信号を出力するＮ本のセンサ信号線と、Ｍ本（２＜Ｍ＜Ｎ）の検査用出力線との間に接続され、Ｎ本のセンサ信号線から入力されるパラレル信号を、Ｍ本またはＭ本よりも少ない数のパラレル信号として、複数の検査用出力線に出力するバス幅変換回路を有している。
【００１０】
本発明のバス幅変換回路、情報入出力装置および電子機器では、Ｎ本のセンサ信号線から入力されるパラレル信号を、Ｍ本またはＭ本よりも少ない数のパラレル信号として、複数の検査用出力線に出力するバス幅変換回路が設けられている。これにより、センサ信号線の本数が、仮に１０００本近くあったとしても、検査用出力線の本数を調整することにより、全てのセンサ信号線の出力を順次検査することができる。
【発明の効果】
【００１１】
本発明の検知装置、情報入出力装置および電子機器によれば、検査用出力線の本数を調整することにより、全てのセンサ信号線の出力を順次検査することができるようにしたので、光学式のタッチセンサの検査を簡易に行うことができる。
【図面の簡単な説明】
【００１２】
【図１】本発明の一実施の形態に係る情報入出力装置の構成を表すブロック図である。
【図２】図１の情報入出力装置の構成をより詳細に表すブロック図である。
【図３】図１の入出力パネル内のバス幅変換回路の構成の一例を表す図である。
【図４】図３のバス幅変換回路と受光セルとの間の配線の一例を表す図である。
【図５】図３のバス幅変換回路の内部構成の一例を表す図である。
【図６】図３のバス幅変換回路の内部構成の他の例を表す図である。
【図７】図３のバス幅変換回路の動作時の波形の一例を表す図である。
【図８】図７の波形の一部を拡大して表す図である。
【図９】図３のバス幅変換回路の動作時の波形の他の例を表す図である。
【図１０】図９の波形の一部を拡大して表す図である。
【図１１】図３のバス幅変換回路の内部構成のその他の例を表す図である。
【図１２】図３のバス幅変換回路の内部構成のその他の例を表す図である。
【図１３】図１１，１２のバス幅変換回路の動作時の波形の一例を表す図である。
【図１４】上記実施の形態等の情報入出力装置の適用例１の外観を表す斜視図である。
【図１５】（Ａ）は適用例２の表側から見た外観を表す斜視図であり、（Ｂ）は裏側から見た外観を表す斜視図である。
【図１６】適用例３の外観を表す斜視図である。
【図１７】適用例４の外観を表す斜視図である。
【図１８】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１３】
以下、発明を実施するための形態について、図面を参照して詳細に説明する。なお、説明は以下の順序で行う。
１．実施の形態
１．１ 情報入出力装置の構成（図１、図２）
１．２ バス幅変換回路の構成（図３〜図６）
１．３ バス幅変換回路の波形（図７〜図１０）
１．４ 効果
２．変形例
２．１ バス幅変換回路の構成（図１１、図１２）
２．２ バス幅変換回路の波形（図１３）
３．適用例（図１４〜図１８）
【００１４】
＜１．実施の形態＞
[１．１ 情報入出力装置の構成]
図１は、本発明の一実施の形態に係る情報入出力装置１の概略構成を表すものである。図２は、図１の情報入出力装置１の詳細構成を表すものである。本実施の形態に係る情報入出力装置１は、図１に示すように、ディスプレイ１０と、このディスプレイ１０を利用する電子機器本体２０とを備えたものである。ディスプレイ１０は、入出力パネル１１、表示信号処理部１２、受光信号処理部１３および画像処理部１４を有し、電子機器本体２０は、制御部２１を有する。
【００１５】
入出力パネル１１は、図２に示すように、複数の画素１６がマトリクス状に配列された液晶ディスプレイパネルで構成されたものであり、図１に示すように、表示要素１１ａおよび受光要素１１ｂを備えている。表示要素１１ａは、映像信号に基づいて表示面に画像を表示するものであり、光源となるバックライトから出射された光（可視光）を利用して、図形や文字等の画像を表示面に表示する液晶素子である。受光要素１１ｂは、光を受光して電気信号として出力する、例えばフォトダイオード等の受光素子である。受光要素１１ｂは、バックライトの出射光（例えば赤外光）が入出力パネル１１の外部の指等の外部近接物体によって反射されて戻ってきた反射光を受光して、受光信号（検出信号）を出力するものである。受光要素１１ｂは、本実施の形態の場合、画素１６毎に配置されて、面内に複数配列されている。
【００１６】
入出力パネル１１は、図２に示したように、１対の透明基板の間に、例えば隔壁によって互いに分離された構造の複数の発光受光セルをマトリクス状に配列して構成されている。各発光受光セルＣＷＲは、例えば、発光セルＣＷ（ＣＷ１，ＣＷ２，ＣＷ３，…）と、受光セルＣＲ（ＣＲ１，ＣＲ２，ＣＲ３，…）とを備えている。発光セルＣＷは、表示要素１１ａとしての液晶セルからなり、受光セルＣＲは、受光要素１１ｂとしての受光素子ＰＤを含む。
【００１７】
図１に示す表示信号処理部１２は、入出力パネル１１の前段に接続され、入出力パネル１１が表示データに基づいて画像を表示するように、入出力パネル１１の駆動を行う回路である。表示信号処理部１２は、図２に示すように、表示信号保持制御部４０、発光側スキャナ４１、表示信号ドライバ４２および受光側スキャナ４３を備えている。表示信号保持制御部４０は、表示信号生成部４４から出力される表示信号を１画面毎（１フィールドの表示ごと）に、例えばＳＲＡＭ（Static Random Access Memory）等で構成されるフィールドメモリに格納して保持すると共に、各発光セルＣＷを駆動する発光側スキャナ４１および表示信号ドライバ４２、および各受光セルＣＲを駆動する受光側スキャナ４３を連動して動作するように制御する機能を有する。具体的には、発光側スキャナ４１には発光タイミング制御信号を、受光側スキャナ４３には受光タイミング制御信号を、表示信号ドライバ４２には制御信号およびフィールドメモリに保持されている表示信号に基づいて、１水平ライン分の表示信号を出力する。これらの制御信号および表示信号により、線順次動作が行われるようになっている。
【００１８】
発光側スキャナ４１は、表示信号保持制御部４０から出力される発光タイミング制御信号に応じて駆動対象の発光セルＣＷを選択する機能を有する。具体的には、入出力パネル１１の各画素１６に接続された発光用ゲート線を介して発光用選択信号を供給し、発光素子選択スイッチを制御する。つまり、発光用選択信号によりある画素１６の発光素子選択スイッチがオン状態となる電圧が印加されると、その画素１６では表示信号ドライバ４２から供給された電圧に対応した輝度の発光動作がなされるようになっている。
【００１９】
表示信号ドライバ４２は、表示信号保持制御部４０から出力される１水平ライン分の表示信号に応じて駆動対象の発光セルＣＷに表示データを供給する機能を有する。具体的には、入出力パネル１１の各画素１６に接続されたデータ供給線を介して前述の発光側スキャナ４１により選択された画素１６に表示データに対応する電圧を供給する。この発光側スキャナ４１および表示信号ドライバ４２が連動して線順次動作することにより、任意の表示データに対応する画像が入出力パネル１１に表示される。
【００２０】
受光側スキャナ４３は、表示信号保持制御部４０から出力される受光タイミング制御信号に応じて駆動対象の受光セルＣＲを選択する機能を有する。具体的には、入出力パネル１１の各画素１６に接続された受光用ゲート線を介して受光用選択信号を供給し、受光素子選択スイッチを制御する。つまり、前述の発光側スキャナ４１の動作と同様に、受光用選択信号によりある画素１６の受光素子選択スイッチがオン状態となる電圧が印加されると、その画素１６から検出された受光信号がセンサ信号線ＳＳｉｇＸを介して受光信号レシーバ４５に出力されるようになっている。これにより、例えばある発光セルＣＷからの出射光に基づいて接触あるいは近接する物体において反射した光を、受光セルＣＲが受光し、検出することが可能となる。また、この受光側スキャナ４３からは、受光信号レシーバ４５および受光信号保持部４６へ受光ブロック制御信号が出力され、これら受光動作に寄与するブロックを制御する機能も有する。なお、本実施の形態の情報入出力装置１においては、前述の発光用ゲート線および受光用ゲート線は１水平ライン分の発光受光セルＣＷＲごとに別個に接続され、発光側スキャナ４１および受光側スキャナ４３はそれぞれ、独立して動作することが可能となっている。
【００２１】
図１に示す受光信号処理部１３は、入出力パネル１１の後段に接続され、受光要素１１ｂからの受光信号を取り込んで増幅等を行うものである。この受光信号処理部１３は、図２に示すように、受光信号レシーバ４５および受光信号保持部４６を備えている。
【００２２】
受光信号レシーバ４５は、受光側スキャナ４３から出力される受光ブロック制御信号に応じて、各受光セルＣＲから出力された１水平ライン分の受光信号を、センサ信号線ＳＳｉｇＸを介して取得する機能を有する。この受光信号レシーバ４５において取得された１水平ライン分の受光信号は、受光信号保持部４６へ出力される。
【００２３】
受光信号保持部４６は、受光側スキャナ４３から出力される受光ブロック制御信号に応じて、受光信号レシーバ４５から出力される受光信号を１画面ごと（１フィールドの表示ごと）の受光信号に再構成し、例えば、ＳＲＡＭなどから構成されるフィールドメモリに格納して保持する機能を有する。受光信号保持部４６において格納された受光信号のデータは、画像処理部１４（図１）内の位置検出部４７へ出力される。なお、この受光信号保持部４６はメモリ以外の記憶素子から構成されていてもよく、例えば受光信号をアナログデータ（電荷）として容量素子に保持しておくことも可能である。
【００２４】
画像処理部１４（図１）は、受光信号処理部１３の後段に接続され、受光信号処理部１３から検出画像を取り込んで、２値化やノイズ除去、ラベリング等の処理を行い、外部近接物体の点情報、すなわち外部近接物体の重心や中心座標などを得る回路である。具体的には、画像処理部１４におけるラベリング処理部（図示せず）が、ラベリング処理を行うことにより、検出画像全体についてのラベル情報（検出画像内における連結領域ごとの識別番号を示す情報）、連結領域ごとの位置情報をそれぞれ取得するようになっている。
【００２５】
また、画像処理部１４における位置検出部４７（図２）は、ラベリング処理部より得られた上記ラベル情報および位置情報に基づいて信号処理を行い、検出された物体が存在する位置等を特定するようになっている。これにより、接触あるいは近接する指等の位置を特定することが可能となる。
【００２６】
電子機器本体２０（図１）は、ディスプレイ１０の表示信号処理部１２に対して表示データを出力すると共に、画像処理部１４から点情報を入力するようになっている。制御部２１は、点情報を用いて表示画像を変化させるものである。
【００２７】
制御部２１（図１）は、点情報を用いて表示画像を変化させるものであり、例えばＣＰＵ（Central Processing Unit）などにより構成されている。制御部２１は、図２に示すように、表示信号生成部４４を備えている。表示信号生成部４４は、図示しないＣＰＵ（Central Processing Unit）などにより生成され、供給された画像データに基づいて、例えば、１画面ごと（１フィールドの表示ごと）に表示するための表示信号を生成し、それを表示信号保持制御部４０に出力するようになっている。
【００２８】
[１．２ バス幅変換回路の構成]
本実施の形態では、入出力パネル１１には、図３に示したように、画素１６と受光信号レシーバ４５とをつなぐセンサ信号線ＳＳｉｇＸに接続されたバス幅変換回路１１ｃが設けられている。バス幅変換回路１１ｃはセンサ画素検査用の回路であり、バス幅変換回路１１ｃの入力端には、センサ信号線ＳＳｉｇＸが接続されており、バス幅変換回路１１ｃの出力端には、検査用出力線ＳｏｕｔＸが接続されている。
【００２９】
ここで、センサ信号線ＳＳｉｇＸは、例えば、図４に示したように、受光セルＣＲが行方向にＫ個、列方向にＮ個、つまりＫ×Ｎのマトリクス状に入出力パネル１１に配置されている場合に、１列ごとに１つずつ設けられたセンサ信号線ＳＳiｇ１〜ＳＳｉｇＮからなる。従って、バス幅変換回路１１ｃの入力端には、Ｎ本のセンサ信号線ＳＳiｇ１〜ＳＳｉｇＮが接続されている。一方、検査用出力線ＳｏｕｔＸは、例えば、図３に示したように、Ｍ本（＜Ｎ本）の検査用出力線Ｓｏｕｔ１〜ＳｏｕｔＭからなる。従って、バス幅変換回路１１ｃの出力端には、Ｍ本の検査用出力線Ｓｏｕｔ１〜ＳｏｕｔＭが接続されている。つまり、バス幅変換回路１１ｃは、Ｎ本のセンサ信号線ＳＳiｇ１〜ＳＳｉｇＮから入力されたＮ本のパラレル信号を、入力側の本数よりも少ないＭ本のパラレル信号として、Ｍ本の検査用出力線Ｓｏｕｔ１〜ＳｏｕｔＭに出力するようになっている。
【００３０】
図５は、バス幅変換回路１１ｃの内部構成の一例を表したものである。バス幅変換回路１１ｃは、シフトレジスタ方式となっており、例えば、図５に示したように、シフトレジスタＳＲおよびスイッチＳＷを交互に配置して構成されている。ｉ段目（１≦ｉ＜Ｎ／Ｍ（小数点以下切り捨て））のＳＲの出力端がｉ段目のスイッチＳＷの入力端と、ｉ＋１段目のＳＲの入力端とに接続されている。１段目のシフトレジスタＳＲは、制御信号として、センサ信号スタート信号ＳＳＳＴ、センサ信号クロックＳＳＣＫおよびセンサ信号リセットＳＳＲＳＴが入力されるようになっている。２段目以降のシフトレジスタＳＲは、制御信号として、センサ信号クロックＳＳＣＫおよびセンサ信号リセットＳＳＲＳＴが入力されるようになっている。各スイッチＳＷの入力端には、Ｍ本のセンサ信号線ＳＳｉｇ（１＋Ｍ×（ｉ−１））〜ＳＳｉｇ（Ｍ×ｉ）が接続されており、各スイッチＳＷの出力端には、Ｍ本の検査用出力線Ｓｏｕｔ１〜ＳｏｕｔＭが接続されている。つまり、各スイッチＳＷでは、入力側の本数と、出力側の本数とが互いに等しくなっている。さらに、各スイッチＳＷの出力端では、同一の番号ｊが付与されている検査用出力線Ｓｏｕｔｊ同士が互いに接続されている。
【００３１】
なお、バス幅変換回路１１ｃは、シフトレジスタ方式以外の方式であってもよく、例えば、カウンタ・デコーダ方式となっていてもよい。この場合に、バス幅変換回路１１ｃは、例えば、図６に示したように、前段にカウンタ・デコーダＣＤを備えており、カウンタ・デコーダＣＤの出力端に並列に接続されたＭ個のスイッチＳＷを備えている。各スイッチＳＷの入力端には、Ｍ本のセンサ信号線ＳＳｉｇ（１＋Ｍ×（ｉ−１））〜ＳＳｉｇ（Ｍ×ｉ）が接続されており、各スイッチＳＷの出力端には、Ｍ本の検査用出力線Ｓｏｕｔ１〜ＳｏｕｔＭが接続されている。つまり、各スイッチＳＷでは、入力側の本数と、出力側の本数とが互いに等しくなっている。さらに、各スイッチＳＷの出力端では、同一の番号ｊが付与されている検査用出力線Ｓｏｕｔｊ同士が互いに接続されている。カウンタ・デコーダＣＤは、制御信号として、センサ信号スタートＳＳＳＴ、センサ信号クロックＳＳＣＫおよびセンサ信号リセットＳＳＲＳＴが入力されるようになっている。
【００３２】
[１．３ バス幅変換回路の波形]
図７は、バス幅変換回路１１ｃを用いて、センサ信号線ＳＳｉｇＸの断線もしくは短絡、受光セルＣＲの欠陥、または、受光セルＣＲごとに設けられたスイッチング素子の欠陥（以下、これらを総称して単に「欠陥」と称する。）の有無を検出する際の波形の一例を表したものである。図７（Ａ）は、バス幅変換回路１１ｃを含む入出力パネル１１に入力されるシステムクロックＳＶＣＫの信号波形の一例を表したものである。図７（Ｂ）は受光セルＣＲのリセットの開始信号Ｓ1と、受光セルＣＲからの出力信号の読み出しの開始信号Ｓ2とを含むスタート信号ＳＶＳＴの信号波形の一例を表したものである。図７（Ｃ）はシフトレジスタＳＲのリセットに使用されるセンサ信号リセットＳＳＲＳＴの信号波形の一例を表したものである。図７（Ｄ）はシフトレジスタＳＲの信号シフトの開始に使用されるセンサ信号スタートＳＳＳＴの信号波形の一例を表したものである。図７（Ｅ）はシフトレジスタＳＲの信号シフトに使用されるセンサ信号クロックＳＳＣＫの信号波形の一例を表したものである。図７（Ｆ）〜（Ｋ）は検査用出力線Ｓｏｕｔ１〜Ｓｏｕｔ６に出力される信号の種類の一例を表したものである。図８は、図７の波形の一部を拡大して表したものである。図８（Ａ）は図７（Ａ）のシステムクロックＳＶＣＫの信号波形の一例を拡大して表したものである。図８（Ｂ）は、図７（Ｂ）のスタート信号ＳＶＳＴの信号波形の一例を拡大して表したものである。図８（Ｃ）は、各受光セルＣＲのリセットを順次行うＲＳＴスキャンの信号波形の一例を表したものである。図８（Ｄ）は、各受光セルＣＲからの出力信号の読み出しを順次行うＲＥＡＤスキャンの信号波形の一例を表したものである。図８（Ｅ）は検査用出力線Ｓｏｕｔ１〜ＳｏｕｔＭ（ＳｏｕｔＸ）に出力される信号波形の一例を表したものである。図８（Ｆ）は、バックライトに含まれる光源のうち例えば赤外光などの非可視領域の光を射出する光源のオン、オフを制御するセンサＢＬの信号波形の一例を表したものである。
【００３３】
バス幅変換回路１１ｃがシフトレジスタ方式となっている場合には、センサ信号スタートＳＳＳＴでシフトレジスタＳＲの信号シフトが開始され、センサ信号クロックＳＳＣＫでシフトレジスタＳＲの信号がシフトする。シフトレジスタＳＲの信号でスイッチＳＷが順次オンし、Ｍ本のセンサ信号線ＳＳｉｇ（１＋Ｍ×（ｉ−１））〜ＳＳｉｇ（Ｍ×ｉ）ごとに、パラレル信号が、Ｍ本の検査用出力線Ｓｏｕｔ１〜ＳｏｕｔＭに出力される。
【００３４】
バス幅変換回路１１ｃがカウンタ・デコーダ方式となっている場合には、センサ信号スタートＳＳＳＴでカウンタがスタートし、センサ信号クロックＳＳＣＫでカウントがアップする。カウンタ・デコーダＣＤから出力されたデコード信号でスイッチＳＷが順次オンし、Ｍ本のセンサ信号線ＳＳｉｇ（１＋Ｍ×（ｉ−１））〜ＳＳｉｇ（Ｍ×ｉ）ごとに、パラレル信号がＭ本の検査用出力線Ｓｏｕｔ１〜ＳｏｕｔＭに出力される。
【００３５】
図７、図８に示したように、１フレーム期間（１Ｆ）の前半に、１ライン分の受光セルＣＲのうちＭ個の受光セルＣＲをリセットするとともに（ＲＳＴスキャン期間Ｔ１）、１ライン分の受光セルＣＲのうちＭ個の受光セルＣＲからの出力信号を、バス幅変換回路１１ｃを介して、Ｍ本の検査用出力線Ｓｏｕｔ１〜ＳｏｕｔＭに出力する（ＲＥＡＤスキャン期間Ｔ２）。さらに、  図７、図８に示したように、１フレーム期間（１Ｆ）の後半に、前半と同一のＭ個の受光セルＣＲをリセットするとともに（ＲＳＴスキャン期間Ｔ１）、前半と同一のＭ個の受光セルＣＲからの出力信号を、バス幅変換回路１１ｃを介して、Ｍ本の検査用出力線Ｓｏｕｔ１〜ＳｏｕｔＭに出力する（ＲＥＡＤスキャン期間Ｔ２）。
【００３６】
このとき、図８に示したように、１フレーム期間（１Ｆ）の前半に、センサＢＬをオンしてバックライトから出射光（例えば赤外光）を出力し、１フレーム期間（１Ｆ）の後半に、センサＢＬをオフしてバックライトの出射光（例えば赤外光）を消灯する。これにより、１フレーム期間（１Ｆ）中に、バックライトがオンしているときの出力と、バックライトがオフしているときの出力とが得られるので、双方の出力の差分を取ることにより、外光成分の除去された出力信号を得ることができる。その結果、外光が受光セルＣＲに入射するような環境下であっても、欠陥の有無を精度よく検査することができる。
【００３７】
なお、外光が上述の欠陥の有無の検査においてあまり悪影響を及ぼさない場合には、センサＢＬのオン、オフをする代わりに、例えば、図９、図１０に示したように、センサＢＬをオンし続けて、センサＢＬをオフしているときの出力の検出を省略するようにしてもよい。
【００３８】
図９は、バス幅変換回路１１ｃを用いて欠陥の有無を検出する際に、センサＢＬをオンし続けているときの波形の一例を表したものである。図１０は、図９の波形の一部を拡大して表したものである。図９、図１０には、図７、図８と同一種類の波形が示されている。図９、図１０に記載の波形は、図７、図８に記載の波形において、センサＢＬをオフしている期間が省略され、センサＢＬがオンし続けているときの波形に相当するものである。図９、図１０に示したようにセンサＢＬがオンし続けている場合には、１フレーム期間（１Ｆ）の長さが図７、図８のときの１フレーム期間（１Ｆ）の長さの半分となる。そのため、その分だけ、欠陥の有無を素早く検査することができる。
【００３９】
［１．４ 効果］
本実施の形態では、Ｎ本のセンサ信号線ＳＳｉｇ１〜ＳＳｉｇＮから入力されるパラレル信号が、Ｍ本のパラレル信号として、Ｍ本の検査用出力線Ｓｏｕｔ１〜ＳｏｕｔＭに出力される。これにより、センサ信号線ＳＳｉｇ１〜ＳＳｉｇＮの本数が、仮に１０００本近くあったとしても、検査用出力線Ｓｏｕｔ１〜ＳｏｕｔＭの本数を調整することにより、全てのセンサ信号線ＳＳｉｇ１〜ＳＳｉｇＮの出力を順次検査することができる。その結果、光学式のタッチセンサの検査を簡易に行うことができる。
【００４０】
＜２．変形例＞
[２．１ バス幅変換回路の他の構成]
上記実施の形態では、センサ信号線ＳＳｉｇＸのうちＭ本のセンサ信号線ＳＳｉｇ（１＋Ｍ×（ｉ−１））〜ＳＳｉｇ（Ｍ×ｉ）に出力されたパラレル信号が、Ｍ本のパラレル信号として、検査用出力線Ｓｏｕｔ１〜ＳｏｕｔＭに出力されるようになっていたが、Ｍ本よりも少ない数のパラレル信号として、検査用出力線Ｓｏｕｔ１〜ＳｏｕｔＭの一部に出力されるようになっていてもよい。このとき、Ｍ本の検査用出力線Ｓｏｕｔ１〜ＳｏｕｔＭのうち少なくとも１本から、受光セルＣＲからの出力信号とは異なる信号が出力されるようになっていてもよい。
【００４１】
図１１，図１２は、Ｍ本の検査用出力線Ｓｏｕｔ１〜ＳｏｕｔＭのうちの一部にスイッチＳＷ２が接続されている構成を示したものである。このスイッチＳＷ２の入力端には、検査用出力線ＳｏｕｔＸと、受光セルＣＲとは異なる被検査部位に接続されたテスト用出力線ＴｅｓｔＸとが接続されている。なお、テスト用出力線ＴｅｓｔＸは、例えば、図１１，図１２に示したように、Ｌ本（＜Ｍ本）のテスト用出力線Ｔｅｓｔ１〜ＴｅｓｔＬからなる。
【００４２】
スイッチＳＷ２は、２入力１出力の複数の（Ｌ個の）スイッチ素子が配列されたものである。スイッチＳＷ２において、２入力１出力のスイッチ素子の２種類の入力端のうち一方には、スイッチＳＷのＭ個の出力端のうちのＬ個の出力端が接続されている。また、スイッチＳＷ２において、２入力１出力のスイッチ素子の２種類の入力端のうち他方には、Ｌ本のテスト用出力線Ｔｅｓｔ１〜ＴｅｓｔＬが接続されている。つまり、スイッチＳＷ２において、２入力１出力のスイッチ素子は、スイッチＳＷの出力端およびテスト用出力線ＴｅｓｔＸのうちいずれか一方からの出力信号を、検査用出力線Ｓｏｕｔ１〜ＳｏｕｔＭのうちの一部（Ｌ本）に出力するようになっている。なお、スイッチＳＷ２は、制御信号として選択信号ＳＴＳＷが入力されるようになっている。
【００４３】
本変形例では、バス幅変換回路１１ｃは、スイッチＳＷ２の他に、Ｎ／Ｍ個（小数点以下切り捨て）のスイッチＳＷ３を備えている。スイッチＳＷ３は、２入力１出力の複数の（（Ｍ−Ｌ）個の）スイッチ素子が配列されたものである。スイッチＳＷ３において、２入力１出力のスイッチ素子の２種類の入力端のうち一方には、スイッチＳＷのＭ個の出力端のうちスイッチＳＷ２に未接続の出力端（（Ｍ−Ｌ）個の出力端）が接続されている。また、スイッチＳＷ３において、２入力１出力のスイッチ素子の２種類の入力端のうち他方には、スイッチＳＷのＭ個の出力端のうちスイッチＳＷ２に接続された出力端（Ｌ本の出力端）が接続されている。つまり、スイッチＳＷ３において、２入力１出力のスイッチ素子は、スイッチＳＷのＭ個の出力端のうち、スイッチＳＷ２に未接続の（Ｍ−Ｌ）個の出力端およびスイッチＳＷのＭ個の出力端のうち、スイッチＳＷ２に接続されたＬ個の出力端のうちいずれか一方からの出力信号を、検査用出力線Ｓｏｕｔ１〜ＳｏｕｔＭのうち、スイッチＳＷ２に未接続の出力線（Ｍ−Ｌ本）に出力するようになっている。なお、スイッチＳＷ３は、制御信号として選択信号ＳＳＳＷが入力されるようになっている。また、スイッチＳＷのＭ個の出力端のうち残りのＬ本の出力端は、スイッチＳＷ２の入力端にも接続されている。
【００４４】
[２．２ バス幅変換回路の波形]
図１３は、バス幅変換回路１１ｃを用いて欠陥の有無を検出する際の波形の一例を表したものである。図１３（Ａ）〜（Ｅ）には、図７と同一種類の波形が示されている。図１３（Ｆ）は、スイッチＳＷ２のオン、オフを制御する選択信号ＳＴＳＷの波形の一例を表したものである。図１３（Ｇ）は、スイッチＳＷ３のオン、オフを制御する選択信号ＳＳＳＷの波形の一例を表したものである。図１３（Ｈ）〜（Ｏ）は、検査用出力線Ｓｏｕｔ１〜Ｓｏｕｔ８に出力される信号の種類の一例を表したものである。
【００４５】
本変形例では、図１３に示したように、１フレーム期間（１Ｆ）の前半に、１ライン分の受光セルＣＲのうちＭ個の受光セルＣＲをリセットするとともに、１ライン分の受光セルＣＲのうちＭ個の受光セルＣＲからの出力信号を、バス幅変換回路１１ｃを介して、Ｍ本の検査用出力線Ｓｏｕｔ１〜ＳｏｕｔＭに出力する。さらに、１フレーム期間（１Ｆ）の後半に、前半と同一のＭ個の受光セルＣＲをリセットするとともに、前半と同一のＭ個の受光セルＣＲからの出力信号を、バス幅変換回路１１ｃを介して、Ｍ本の検査用出力線Ｓｏｕｔ１〜ＳｏｕｔＭに出力する。
【００４６】
このとき、１フレーム期間（１Ｆ）の前半に、センサＢＬをオンしてバックライトから出射光（例えば赤外光などの非可視領域の光）を出力し、１フレーム期間（１Ｆ）の後半に、センサＢＬをオフしてバックライトの出射光（例えば赤外光などの非可視領域の光）を消灯する。これにより、１フレーム期間（１Ｆ）中に、バックライトがオンしているときの出力と、バックライトがオフしているときの出力とが得られるので、双方の出力の差分を取ることにより、上述の欠陥の有無を検査することができる。
【００４７】
本変形例では、また、１フレーム期間（１Ｆ）の前半に、１ライン分の受光セルＣＲのうちＭ−Ｌ個の受光セルＣＲをリセットするとともに、１ライン分の受光セルＣＲのうちＭ−Ｌ個の受光セルＣＲからの出力信号を、バス幅変換回路１１ｃを介して、Ｍ−Ｌ本の検査用出力線Ｓｏｕｔ１〜ＳｏｕｔＭ−Ｌに出力する。さらに、１フレーム期間（１Ｆ）の前半に、１ライン分の受光セルＣＲのうち残りのＬ個の受光セルＣＲをリセットするとともに、１ライン分の受光セルＣＲのうち残りのＬ個の受光セルＣＲからの出力信号を、バス幅変換回路１１ｃを介して、Ｌ本の検査用出力線ＳｏｕｔＭ−Ｌ＋１〜ＳｏｕｔＭに出力する。
【００４８】
さらに、１フレーム期間（１Ｆ）の後半に、前半と同一のＭ−Ｌ個の受光セルＣＲをリセットするとともに、前半と同一のＭ−Ｌ個の受光セルＣＲからの出力信号を、バス幅変換回路１１ｃを介して、Ｍ−Ｌ本の検査用出力線Ｓｏｕｔ１〜ＳｏｕｔＭ−Ｌに出力する。さらに、１フレーム期間（１Ｆ）の後半に、１ライン分の受光セルＣＲのうち残りのＬ個の受光セルＣＲをリセットするとともに、１ライン分の受光セルＣＲのうち残りのＬ個の受光セルＣＲからの出力信号を、バス幅変換回路１１ｃを介して、Ｌ本の検査用出力線ＳｏｕｔＭ−Ｌ＋１〜ＳｏｕｔＭに出力する。
【００４９】
このとき、１フレーム期間（１Ｆ）の前半に、センサＢＬをオンしてバックライトから出射光（例えば赤外光などの非可視領域の光）を出力し、１フレーム期間（１Ｆ）の後半に、センサＢＬをオフしてバックライトの出射光（例えば赤外光）を消灯する。これにより、１フレーム期間（１Ｆ）中に、バックライトがオンしているときの出力と、バックライトがオフしているときの出力とが得られるので、双方の出力の差分を取ることにより、外光成分の除去された出力信号を得ることができる。その結果、外光が受光セルＣＲに入射するような環境下であっても、欠陥の有無を検査することができる。
【００５０】
なお、センサＢＬのオン、オフをする代わりに、センサＢＬをオンし続けて、センサＢＬをオフしているときの出力を検出するのを省略するようにしてもよい。この場合には、上記の場合と比べて１フレーム期間（１Ｆ）が半分となり、その分だけ、上述の欠陥の有無を素早く検査することができる。
【００５１】
本変形例では、Ｎ本のセンサ信号線ＳＳｉｇ１〜ＳＳｉｇＮから入力されるパラレル信号が、Ｍ本よりも少ない数のパラレル信号として、Ｍ本の検査用出力線Ｓｏｕｔ１〜ＳｏｕｔＭに出力される。これにより、受光セルＣＲとは異なる被検査部位の欠陥についても検査したい場合に、その検査を、受光セルＣＲなどの欠陥と同時に行うことができる。その結果、光学式のタッチセンサの検査を簡易かつ多角的に行うことができる。
【００５２】
＜３．適用例＞
以下、上述した実施の形態および変形例で説明した情報入出力装置１の適用例について説明する。上記実施の形態等の情報入出力装置１は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００５３】
（適用例１）
図１４は、上記実施の形態等の情報入出力装置１が適用されるテレビジョン装置の外観を表したものである。このテレビジョン装置は、例えば、フロントパネル５１１およびフィルターガラス５１２を含む映像表示画面部５１０を有しており、この映像表示画面部５１０は、上記実施の形態等に係る情報入出力装置１により構成されている。
【００５４】
（適用例２）
図１５は、上記実施の形態等の情報入出力装置１が適用されるデジタルカメラの外観を表したものである。このデジタルカメラは、例えば、フラッシュ用の発光部５２１、表示部５２２、メニュースイッチ５２３およびシャッターボタン５２４を有しており、その表示部５２２は、上記実施の形態等の情報入出力装置１により構成されている。
【００５５】
（適用例３）
図１６は、上記実施の形態等の情報入出力装置１が適用されるノート型パーソナルコンピュータの外観を表したものである。このノート型パーソナルコンピュータは、例えば、本体５３１，文字等の入力操作のためのキーボード５３２および画像を表示する表示部５３３を有しており、その表示部５３３は、上記実施の形態等の情報入出力装置１により構成されている。
【００５６】
（適用例４）
図１７は、上記実施の形態等の情報入出力装置１が適用されるビデオカメラの外観を表したものである。このビデオカメラは、例えば、本体部５４１，この本体部５４１の前方側面に設けられた被写体撮影用のレンズ５４２，撮影時のスタート／ストップスイッチ５４３および表示部５４４を有しており、その表示部５４４は、上記実施の形態等の情報入出力装置１により構成されている。
【００５７】
（適用例５）
図１８は、上記実施の形態等の情報入出力装置１が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、上記実施の形態等の情報入出力装置１により構成されている。
【符号の説明】
【００５８】
１…情報入出力装置、１０…ディスプレイ、１１…入出力パネル、１１ａ…表示要素、１１ｂ…受光要素、１１ｃ…バス幅変換回路、１２…表示信号処理部、１３…受光信号処理部、１４…画像処理部、１６…画素、２０…電子機器本体、２１…制御部、４０…表示信号保持制御部、４１…発光側スキャナ、４２…表示信号ドライバ、４３…受光側スキャナ、４４…表示信号生成部、４５…受光信号レシーバ、４６…受光信号保持部、４７…位置検出部、５１０…映像表示画面部、５１１…フロントパネル、５１２…フィルターガラス、５２１…発光部、５２２，５３３，５４４…表示部、５２３…メニュースイッチ、５２４…シャッターボタン、５３１…本体、５３２…キーボード、５４１…本体部、５４２…レンズ、５４３…スタート／ストップスイッチ、７１０…上側筐体、７２０…下側筐体、７３０…連結部、７４０…ディスプレイ、７５０…サブディスプレイ、７６０…ピクチャーライト、７７０…カメラ、ＣＤ…カウンタ・デコーダ、ＣＲ…受光セル、ＣＷ…発光セル、ＳＲ…シフトレジスタ、ＳＷ，ＳＷ２，ＳＷ３…スイッチ。
【図１】
2012039372.tif 000003
【図２】
2012039372.tif 000004
【図３】
2012039372.tif 000005
【図４】
2012039372.tif 000006
【図５】
2012039372.tif 000007
【図６】
2012039372.tif 000008
【図７】
2012039372.tif 000009
【図８】
2012039372.tif 000010
【図９】
2012039372.tif 000011
【図１０】
2012039372.tif 000012
【図１１】
2012039372.tif 000013
【図１２】
2012039372.tif 000014
【図１３】
2012039372.tif 000015
【図１４】
2012039372.tif 000016
【図１５】
2012039372.tif 000017
【図１６】
2012039372.tif 000018
【図１７】
2012039372.tif 000019
【図１８】
2012039372.tif 000020